(57)【要約】【課題】外装部材が接触する部分における肌あれを、長期間にわたって抑制できる使い捨ておむつを提供する。【解決手段】使い捨ておむつは、外装部材と前記外装部材の肌面側に配置された吸収性本体とを有し、前記外装部材は前腹部と後背部とこれらの間に位置する股部とから構成され、前記外装部材は着用者の肌に直接接触する肌接触部の少なくとも一部にフマル酸付着領域が設けられており、前記肌接触部は布またはプラスチックフィルムから構成されており、前記フマル酸付着領域は前記布またはプラスチックフィルムにフマル酸が直接付着していることを特徴とする。【選択図】図１
2020151019.tif 000002
【特許請求の範囲】
【請求項１】
外装部材と、前記外装部材の肌面側に配置された吸収性本体とを有し、
前記外装部材は、前腹部と後背部とこれらの間に位置する股部とから構成され、
前記外装部材は、着用者の肌に直接接触する肌接触部の少なくとも一部にフマル酸付着領域が設けられており、
前記肌接触部は、布またはプラスチックフィルムから構成されており、
前記フマル酸付着領域は、前記布またはプラスチックフィルムにフマル酸が直接付着していることを特徴とする使い捨ておむつ。
【請求項２】
前記フマル酸付着領域が、前記前腹部および／または前記後背部に設けられており、
このフマル酸付着領域に、胴回り弾性部材が配置されている請求項１に記載の使い捨ておむつ。
【請求項３】
前記肌接触部が、透湿度（ＪＩＳ  Ｚ０２０８（１９７６））が３０００ｇ／ｍ2・２４ｈ以下の不織布から構成されており、
前記不織布の肌面側にフマル酸付着領域が設けられている請求項１または２に記載の使い捨ておむつ。
【請求項４】
前記肌接触部が、少なくともスパンボンド不織布とメルトブロー不織布とを積層した多層構造の複合不織布から構成されており、
前記複合不織布は、スパンボンド不織布層が肌面側に配置されており、
前記複合不織布の肌面側にフマル酸付着領域が設けられている請求項１または２に記載の使い捨ておむつ。
【請求項５】
前記吸収性本体が、トップシートとバックシートとこれらの間に挟まれた吸収性コアとを有し、
前記吸収性本体のトップシートに、フマル酸が付着している請求項１〜４のいずれか一項に記載の使い捨ておむつ。
【発明の詳細な説明】
【技術分野】
【０００１】
本発明は、使い捨ておむつに関し、特に皮膚のかぶれを予防できる使い捨ておむつに関する。
【背景技術】
【０００２】
従来、前側胴部と後側胴部とこれらの間に位置する股部とを有する外装部材と、外装部材の股部に設けられた吸収性コアを有する吸収性本体とを有する使い捨ておむつが知られている。このような使い捨ておむつを使用した場合、外装部材が肌に接触している部分において、肌荒れを生じることがあった。そのため、このような肌荒れを防止し得る使い捨ておむつが提案されている。
【０００３】
例えば、特許文献１には、おむつ本体における胴回り域および脚周り域のうち、着用者の肌に面する肌面側の少なくとも一部に、水分の透過を許容する液透過部を設けると共に、該液透過部の肌面側の面である肌面と外面シートとの間に、熱可塑性を有する水溶性ポリマーおよび抗菌剤を含む抗菌剤含有ポリマーを塗工した抗菌剤含有ポリマー塗工部を設けた使い捨ておむつが記載されている（特許文献１（段落０００８、００１９、００６２）参照）。特許文献１の使い捨ておむつは、着用者の汗によって抗菌剤含有ポリマー塗工部の水溶性ポリマーが溶解し、抗菌剤が液透過部に放出される（特許文献１（段落０００８）参照）。
【０００４】
特許文献２には、着用者により排出される体液の吸収および酸性レベルに前記着用者の皮膚のｐＨを維持することを補助するための吸収製品であって、前記吸収製品は、ａ．そのすくなくとも一部に配置されるスキンケア組成物を有する身体接触表面であって、ｉ．前記スキンケア組成物は、接触、通常の着用者の動きおよび／または体温により前記身体接触表面から前記着用者の皮膚に移行可能であり、ｉｉ．前記スキンケア組成物は少なくとも１種のプロトン供与性活性成分を含み、ｉｉｉ．前記スキンケア組成物は実質的に油性の材料を含む連続相を有することを特徴とする身体接触表面、ｂ．液体不透過性バックシート、およびｃ．前記身体接触表面と前記バックシートとの間に位置する吸収性コアとを具備する吸収製品が記載されている（特許文献２（段落００１２〜００１４）参照）。
【０００５】
また、尿などの排泄物に起因する皮膚のかぶれを予防した吸収性物品が記載されている。例えば、特許文献３には、吸収体と、該吸収体の肌面側に配置されたフマル酸担持シートとを備えており、前記フマル酸担持シートが、平均粒子径が３０μｍ以下のフマル酸粒子を担持したシートおよび／または少なくとも一部の構成繊維がフマル酸で被覆されたシートである吸収性物品が記載されている（特許文献３（請求項１）参照）。
【先行技術文献】
【特許文献】
【０００６】
【特許文献１】特開２００９−３４４４１号公報
【特許文献２】特表２００２−５０５９１８号公報
【特許文献３】特開２０１４−２０４７９９号公報
【発明の概要】
【発明が解決しようとする課題】
【０００７】
特許文献１の使い捨ておむつは、着用者が液透過部を透過して抗菌剤含有ポリマーに到達するほどの多量の汗をかいた場合のみ、抗菌剤が放出される。そのため、微量の発汗では、抗菌剤が放出されない。特許文献２の吸収製品では、プロトン供与性活性成分はエマルジョン中に分散された状態で吸収製品の表面に付着しており、微量の汗によって容易に溶出してしまう。
【０００８】
本発明は、前記事情に鑑みてなされたものであり、外装部材が接触する部分における肌あれを、長期間にわたって抑制できる使い捨ておむつを提供することを目的とする。
【課題を解決するための手段】
【０００９】
本発明の使い捨ておむつは、外装部材と、前記外装部材の肌面側に配置された吸収性本体とを有し、前記外装部材は前腹部と後背部とこれらの間に位置する股部とから構成され、前記外装部材は、着用者の肌に直接接触する肌接触部の少なくとも一部にフマル酸付着領域が設けられており、前記肌接触部は、布またはプラスチックフィルムから構成されており、前記フマル酸付着領域は、前記布またはプラスチックフィルムにフマル酸が直接付着していることを特徴とする。肌接触部にフマル酸を付与することで、着用者が発汗するとフマル酸によって肌接触部が弱酸性となり、着用者の肌荒れが抑制される。また、フマル酸は水難溶性であり、着用者が多量の汗をかいた場合でも徐々に溶解する。そのため、肌接触部を長期にわたり弱酸性に維持することができる。
【発明の効果】
【００１０】
本発明の使い捨ておむつは、外装部材において、着用者の肌に接する面に対して、水難溶性のフマル酸を直接付着させているため、外装部材の肌に接する部分を長期にわたり弱酸性に維持することができる。
【図面の簡単な説明】
【００１１】
【図１】本発明の使い捨ておむつの平面図。
【図２】図１におけるＡ−Ａ線断面図。
【図３】図１におけるＢ−Ｂ線断面図。
【図４】図１の使い捨ておむつがパンツ型に形成されている状態を示す図。
【発明を実施するための形態】
【００１２】
本発明の使い捨ておむつは、外装部材と、前記外装部材の肌面側に配置された吸収性本体とを有し、前記外装部材は前腹部と後背部とこれらの間に位置する股部とから構成され、前記外装部材は、着用者の肌に直接接触する肌接触部の少なくとも一部にフマル酸付着領域が設けられており、前記肌接触部は、布またはプラスチックフィルムから構成されており、前記フマル酸付着領域は、前記布またはプラスチックフィルムにフマル酸が直接付着していることを特徴とする。
【００１３】
フマル酸は、分子内にカルボキシ基を２つ有しており、液中では酸性を呈する。よって、着用者が発汗するとフマル酸が溶解し、肌接触部が弱酸性となる。よって、肌接触部にフマル酸を付与することで、着用者の肌荒れが抑制される。また、フマル酸は、水に対する溶解度（２５℃）が０．６３ｇ／１００ｇであり、水難溶性である。よって、着用者が多量の汗をかいた場合でも、フマル酸は直ちにすべてが溶解するのではなく、徐々に溶解することとなる。そのため、肌接触部を長期にわたり弱酸性とすることができる。
【００１４】
（外装部材）
外装部材は、前腹部と後背部とこれらの間に位置する股部とから構成される。外装部材は、前腹部と後背部とが接合されることにより、股部の両側に一対の脚開口部が形成されるとともに、前腹部と後背部の前後方向両側縁部から形成されるウエスト開口部が形成されるように構成されている。なお、前後方向とは、外装部材の前腹部から後背部にかけての方向を意味する。幅方向とは、外装部材を平面に展開した状態で、外装部材と同一面上にあり、前記前後方向に直交する方向を意味する。
【００１５】
なお、前記使い捨ておむつがパンツ型である場合、前腹部と後背部とがおむつ幅方向両側縁部において互いに接合されている。前記使い捨ておむつが展開型である場合、例えば、前腹部または後背部の左右に一対の止着部材（ファスニングテープ）が設けられ、この止着部材を用いて、着用時にパンツ型に形成できるように構成される。
【００１６】
外装部材の各部の名称については、使い捨ておむつを着用した際に、着用者の腹側に当てる部分を前腹部、着用者の臀部側に当てる部分を後背部、前腹部と後背部との間に位置し着用者の股間に当てる部分を股部と称する。股部とは、外装部材の前後方向に３分割した中間に位置する部分であり、パンツ型に形成された場合に幅方向両側縁部が接合されない部分、すなわち脚開口部を形成する部分を意味する。
【００１７】
外装部材の股部の肌面側には、吸収性本体が配置されている。肌面側とは、使い捨ておむつを着用した際に、着用者の肌と面する側を意味する。また、使い捨ておむつを着用した際に、外側に面する側を外面側とする。吸収性本体は、少なくとも股部に存在すればよく、さらに前腹部および後背部にかけて延在していることが好ましい。吸収性本体は、着用者から排泄された尿等を吸収するためのものである。
【００１８】
外装部材は、１枚のシートが所定形状に形成されたものでもよく、２枚以上のシートが積層されて所定形状に形成されていてもよい。外装部材は、外側シートと、外側シートの肌面側に積層された内側シートとを有することが好ましい。この場合、内側シートは、親水性または液不透過性の材料から形成されることが好ましく、液不透過性の材料から形成されることがより好ましく、外側シートは、液不透過性の材料から形成されることが好ましい。なお、外装部材が１枚のシートのみから構成される場合は、外装部材は前記外側シートから構成されることが好ましい。外装部材が液不透過性の材料から形成されたシートを有していれば、外装部材からの尿等の漏れが防止されるようになる。
【００１９】
内側シートや外側シートとしては、不織布やプラスチックフィルムを用いることができる。なかでも、内側シートと外側シートは、不織布から構成されることが好ましい。内側シートと外側シートに用いられる液不透過性の不織布としては、ポリオレフィン（ポリエチレン、ポリプロピレン等）不織布、ポリエステル不織布等が好ましく、特にポリプロピレン不織布が好ましい。このような不織布を用いれば、高強度の外装パンツ部材が得られる。
【００２０】
内側シートと外側シートとが不織布から構成される場合、前記不織布としては、スパンボンド不織布が好ましい。内側シートと外側シートとがスパンボンド不織布から構成されていれば、外装部材の通気性が確保され、おむつ着用時、着用者の汗等に由来して発生した水蒸気が外部に放出されやすくなる。なお、スパンボンド不織布とはスパンボンド法により得られる不織布を意味し、本発明においてはスパンボンド層のみからなる不織布を意味する。
【００２１】
前記内側シートと前記外側シートに用いられる不織布の目付は、１０ｇ／ｍ2以上が好ましく、より好ましくは１５ｇ／ｍ2以上であり、３５ｇ／ｍ2以下が好ましく、より好ましくは２５ｇ／ｍ2以下である。不織布の目付が１０ｇ／ｍ2以上であれば、シートが十分な強度を有しやすくなる。不織布の目付が３５ｇ／ｍ2以下であれば、不織布の通気性が確保されやすくなり、着用者の快適性が向上する。
【００２２】
（エンド押さえシート）
外装部材の前腹部および／または後背部には、吸収性本体の前後端部を覆うエンド押さえシートが設けられることが好ましい。エンド押さえシートを設けることにより、吸収性本体の前後端部が着用者の肌に当たることによる不快感が軽減される。エンド押さえシートは、外装部材の前腹部と後背部とに設けられることが好ましい。
【００２３】
エンド押さえシートは、前後方向においては、吸収性本体の前後端部を覆うように吸収性本体と外装部材とに跨って設けられる。エンド押さえシートの態様としては、吸収性本体が股部のみに配置されており、エンド押さえシートが前腹部から股部にかけて、および、後背部から股部にかけて設けられる態様；吸収性本体が、股部から前腹部および後背部にかけて配置されており、エンド押さえシートが、前腹部および後背部のみに設けられる態様；などが挙げられる。
【００２４】
エンド押さえシートは、前腹部および／または後背部の全体に設けられてもよく、前腹部および／または後背部の一部に設けられてもよい。エンド押さえシートを前腹部に設ける場合、前腹部におけるエンド押さえシートの配置される面積率は、５０面積％以上が好ましく、より好ましくは６０面積％以上、さらに好ましくは７０面積％以上である。エンド押さえシートを後背部に設ける場合、後背部におけるエンド押さえシートの配置される面積率は、５０面積％以上が好ましく、より好ましくは６０面積％以上、さらに好ましくは７０面積％以上である。エンド押さえシートの面積率が５０面積％以上であれば、前腹部または後背部の機械的強度が向上し、かつ、着用者の不快感がより低減する。
【００２５】
エンド押さえシートは、幅方向においては、吸収性本体を幅方向に横切って設けられる。エンド押さえシートの幅方向の長さは、外装部材の幅方向の長さと一致するように設けられることが好ましい。エンド押さえシートが、外装部材と幅方向において一致するように設けられれば、使い捨ておむつを連続的に製造する際、エンド押さえシートを設けることが容易になる。
【００２６】
エンド押さえシートは、ホットメルト接着剤により、外装部材と吸収性本体とに接合されることが好ましい。具体的には、エンド押さえシートは、ホットメルト接着剤により、外装部材の前腹部および／または後背部と、吸収性本体の前後端部とに接合される。ホットメルト接着剤を用いることにより、外装部材と吸収性本体の前後端部とで段差が形成されていても、エンド押さえシートを両部材に確実に接合できる。
【００２７】
エンド押さえシートは、着用者の肌に面するように設けられる上、特に凹凸の大きい吸収性本体の前後端部を覆うように設けられることから、おむつ着用時、エンド押さえシートは着用者の肌と強く接触することとなる。従って、エンド押さえシートは、着用者の肌触りが良好となるように、着用者の肌と面する側がスパンボンド不織布層から構成されていることが好ましい。
【００２８】
（弾性部材）
外装部材には、前腹部および／または後背部に、胴回り用弾性部材が幅方向に設けられることが好ましい。胴回り用弾性部材により、おむつの下腹部と臀部周りのフィット性が向上する。外装部材に胴回り用弾性部材が設けられる場合、エンド押さえシートを外装部材と吸収性本体に接合するホットメルト接着剤としては、ゴム系ホットメルト接着剤を用いることが好ましい。ゴム系ホットメルト接着剤を用いれば、外装部材やエンド押さえシートが伸張と収縮を繰り返しても、エンド押さえシートが外装部材から剥がれにくくなる。
【００２９】
外装部材には、胴回り用弾性部材以外に、ウエスト用弾性部材や脚用弾性部材が設けられることが好ましい。ウエスト用弾性部材は、前腹部や後背部のウエスト開口縁に沿って設けられ、着用者が寝ている状態で、背中側や腹部側から尿等の排泄物が漏れることを防止する。脚用弾性部材は、脚開口縁に沿って設けられ、脚開口縁からの尿等の排泄物の漏れを防止する。なお、ウエスト開口縁とは、外装部材のウエスト開口部周りの縁を意味する。脚開口縁とは、外装部材の脚開口部周りの縁を意味する。
【００３０】
外装部材が１枚のシートから形成される場合、各弾性部材はシート上にホットメルト接着剤等により固定される。外装部材が内側シートと外側シートから構成される場合、各弾性部材は、両シート間に配設され、ホットメルト接着剤等により内側シートおよび／または外側シートに固定されることが好ましい。各弾性部材は、複数本設けられてもよい。
【００３１】
各弾性部材は、ポリウレタン糸、ポリウレタンフィルム、天然ゴム等の通常使い捨ておむつに用いられる弾性伸縮材料が使用できる。各弾性部材は、伸張状態で、ホットメルト接着剤で固定されることが好ましい。例えば、繊度１００〜２，５００デシテックスのポリウレタン糸を、倍率１．１〜５．０倍に伸張して配設し固定する。接合手段としては、好ましくは、ゴム系のホットメルト接着剤である。
【００３２】
（フマル酸付着領域）
前記外装部材は、着用者の肌に直接接触する肌接触部が布またはプラスチックフィルムから構成されており、前記肌接触部の少なくとも一部にフマル酸付着領域が設けられている。前記フマル酸付着領域では、前記肌接触部を構成する部材に、フマル酸が直接付着している。前記肌接触部としては、前腹部、後背部および股部の前記吸収性本体が積層されていない部分が挙げられる。つまり、本発明の使い捨ておむつは、前腹部、後背部および股部の前記吸収性本体が積層されていない部分の少なくとも一部にフマル酸付着領域が設けられている。特に、本発明の使い捨ておむつは、外装部材の前腹部および後背部にフマル酸付着領域が設けられていることが好ましい。
【００３３】
前記前腹部にフマル酸付着領域を設ける場合、前腹部におけるフマル酸付着領域の面積率は、５０面積％以上が好ましく、より好ましくは６０面積％以上、さらに好ましくは７０面積％以上である。前記後背部にフマル酸付着領域を設ける場合、後背部におけるフマル酸付着領域の面積率は、５０面積％以上が好ましく、より好ましくは６０面積％以上、さらに好ましくは７０面積％以上である。フマル酸付着領域の面積率が５０面積％以上であれば、前腹部または後背部における着用者の肌荒れをより抑制できる。
【００３４】
前記前腹部および／または後背部に、胴回り用弾性部材を配置する場合、胴回り用弾性部材が配置された部分に、フマル酸付着領域を設けることが好ましい。つまり、前記フマル酸付着領域が、前記前腹部および／または後背部に設けられており、このフマル酸付着領域に、胴回り弾性部材が配置されていることが好ましい。弾性部材の収縮により着用者の身体に押圧される部分をフマル酸付着領域とすることで、弾性部材に起因する肌荒れを抑えることができる。
【００３５】
前記外装部材は、前腹部および後背部にエンド押さえシートを配置し、このエンド押さえシート全体にフマル酸付着領域を設けることが好ましい。また、前記前腹部および／または後背部に、胴回り用弾性部材を配置する場合、前腹部および後背部にエンド押さえシートを配置し、このエンド押さえシート全体にフマル酸付着領域を設け、かつ、このフマル酸付着領域内に胴回り弾性部材を配置することが好ましい。
【００３６】
前記肌接触部を構成する布としては、織物、編物、不織布などが挙げられ、不織布が好ましい。前記布を構成する繊維としてはポリオレフィン繊維、ポリエステル繊維、ポリアミド繊維などが挙げられる。前記肌接触部を構成するプラスチックフィルムとしては、ポリオレフィンフィルム、ポリエステルフィルム、ポリアミドフィルムなどが挙げられる。これらの中でも、前記肌接触部を構成する部材としては、不透液性の不織布が好ましく、ポリオレフィン不織布、ポリエステル不織布等が好ましい。
【００３７】
前記ポリオレフィンとしては、ポリエチレン（ＰＥ）、ポリプロピレン（ＰＰ）などが挙げられる。前記ポリエステルとしては、ポリエチレンテレフタレート（ＰＥＴ）などが挙げられる。前記ポリアミド（ＰＡ）としては、ポリアミド６、ポリアミド６６などが挙げられる。
【００３８】
前記繊維は、単独素材から構成された繊維でもよいし、多種素材から構成された複合繊維でもよい。複合繊維としては、芯鞘型、並列型、偏芯芯鞘型、放射型、中空放射型、海島型、ブレンド型、ブロック型などが挙げられる。前記樹脂繊維が、複合繊維である場合、繊維素材としてポリオレフィン、ポリエステル、ポリアミド以外の他の樹脂成分を含んでいてもよい。複合繊維としては、ポリオレフィンからなる芯部とポリエステルからなる鞘部とを有する繊維、ポリアミドからなる芯部とポリエステルからなる鞘部とを有する繊維などが挙げられる。
【００３９】
前記肌接触部は、透湿度（ＪＩＳ  Ｚ０２０８（１９７６））が３０００ｇ／ｍ2・２４ｈ以下（好ましくは１５００ｇ／ｍ2・２４ｈ以下）の不織布から構成されており、前記不織布の肌面側にフマル酸付着領域が設けられていることが好ましい。透湿度が３０００ｇ／ｍ2・２４ｈ以下の不織布は、液が透過しづらい。そのため、フマル酸が溶解した汗が、不織布によって外面側に滲み出すことが防止されるため、肌面側が弱酸性に維持される。
【００４０】
また、前記肌接触部は、少なくともスパンボンド不織布とメルトブロー不織布とを積層した多層構造の複合不織布から構成されており、前記複合不織布はスパンボンド不織布層が肌面側に配置されており、前記複合不織布の肌面側にフマル酸付着領域が設けられていることも好ましい。メルトブロー不織布は、繊維径が１μｍ〜１０μｍの微細繊維が密に充填されており、液が透過しづらい。そのため、フマル酸が溶解した汗が、メルトブロー不織布層によって外面側に滲み出すことが防止されるため、肌面側のスパンボンド不織布層が弱酸性に維持される。
【００４１】
前記複合不織布のメルトブロー不織布層の目付は、１．０ｇ／ｍ2以上が好ましく、より好ましくは１．５ｇ／ｍ2以上であり、３．０ｇ／ｍ2以下が好ましく、より好ましくは２．５ｇ／ｍ2以下である。メルトブロー不織布層の目付が１．０ｇ／ｍ2以上であればフマル酸が溶解した汗が外面側に滲み出すことをより抑制でき、３．０ｇ／ｍ2以下であれば不織布の剛性が高くなりすぎず、柔軟性が維持され、肌触りが良くなる。
【００４２】
前記複合不織布は、メルトブロー不織布層の少なくとも肌面側にスパンボンド不織布層が積層された複合不織布から構成されていればよく、例えば、メルトブロー不織布層の肌面側と外面側とにスパンボンド不織布層が積層された複合不織布を用いてもよい。そのような不織布として、ＳＭＳ（スパンボンド／メルトブロー／スパンボンド）不織布や、ＳＭＭＳ（スパンボンド／メルトブロー／メルトブロー／スパンボンド）不織布等が挙げられる。メルトブロー不織布層をスパンボンド不織布層で挟むことにより、複合不織布の目付を低くしつつ、機械的強度を高めることができる。
【００４３】
前記複合不織布の目付は、５．０ｇ／ｍ2以上が好ましく、より好ましくは７．５ｇ／ｍ2以上であり、２５．０ｇ／ｍ2以下が好ましく、より好ましくは１５．０ｇ／ｍ2以下である。前記複合不織布は、強度と薄さを両立する目付として、５．０ｇ／ｍ2以上２５．０ｇ／ｍ2以下が好ましい。
【００４４】
前記フマル酸付着領域におけるフマル酸の付着量は、０．０１ｇ／ｍ2以上が好ましく、より好ましくは０．０２ｇ／ｍ2以上、さらに好ましくは０．０３ｇ／ｍ2以上であり、１０ｇ／ｍ2以下が好ましく、より好ましくは５．０ｇ／ｍ2以下、さらに好ましくは４．５ｇ／ｍ2以下、特に好ましくは４．０ｇ／ｍ2以下である。フマル酸の付着量が前記範囲内であれば、着用者の肌荒れをより抑制できる。
【００４５】
前記フマル酸は、前記肌接触部を構成する部材とフマル酸含有水溶液とを接触させた後、水を除去することにより付着させることが好ましい。このようにフマル酸を付着させることで、フマル酸が部材表面（繊維表面）に被覆膜を形成し、また、フマル酸が部材表面（繊維表面）で結晶化するため、フマル酸が脱落しにくくなる。
【００４６】
前記肌接触部を構成する部材とフマル酸含有水溶液とを接触させる方法としては、フマル酸含有水溶液を肌接触部を構成する部材に散布する方法、フマル酸含有水溶液に肌接触部を構成する部材を浸漬する方法が挙げられる。前記フマル酸含有水溶液の溶媒としては、水、水と親水性有機溶剤との混合溶液などを用いることができる。前記親水性有機溶媒としては、メタノール、エタノール、アセトン、グリセリン、エチレングリコール、プロピレングリコール等が挙げられる。
【００４７】
前記フマル酸含有水溶液中のフマル酸濃度は、０．０００００１質量％以上が好ましく、より好ましくは０．０００００２質量％以上、さらに好ましくは０．０００００３質量％以上であり、０．７質量％以下が好ましく、より好ましくは０．６質量％以下である。フマル酸濃度が０．０００００１質量％以上であれば、フマル酸濃度が低くなり過ぎず、所望の付着量になるまでの部材への付着加工・乾燥が容易となり、０．７質量％以下であれば、水溶液中にフマル酸を容易に完全溶解させることができる。
【００４８】
前記フマル酸含有水溶液は、増粘剤を含有することが好ましい。前記増粘剤としては、例えば、キサンタンガム、ペクチン、グアーガム、タマリンドガム、カラギーナン、ゼラチン、不飽和カルボン酸（共）重合体（例えば、ポリアクリル酸、イソブチレン−マレイン酸共重合体、ジイソブチレン−マレイン酸共重合体、スチレン−マレイン酸共重合体、スチレン−マレイン酸−（メタ）アクリル酸エステル共重合体、（メタ）アクリル酸−（メタ）アクリル酸エステル共重合体など）、カルボキシル化多糖体（例えば、カルボキシメチルセルロースなど）、および、これらの塩（例えば、有機アミン塩、アルカリ金属塩、アルカリ土類金属塩）、ナフタレンスルホン酸ホルマリン縮合物、ポリスチレンスルホン酸、および、これらの塩（例えば、有機アミン塩、アルカリ金属塩、アルカリ土類金属塩）、ポリビニルアルコール、ポリエチレングリコール、Ｎ，Ｎ−ジアルキルアミノアルキル（メタ）アクリレート（共）重合体の無機酸（塩酸、リン酸など）塩または有機酸（ギ酸、酢酸、乳酸など）塩などが挙げられる。
【００４９】
前記増粘剤の含有量は、特に規定する必要はないが、フマル酸１００質量部に対して、０．００００００２質量部以上が好ましく、より好ましくは０．００１質量部以上、さらに好ましくは０．０１質量部以上であり、５質量部以下が好ましく、より好ましくは０．５質量部以下、さらに好ましくは０．０４質量部以下である。
【００５０】
加工に使用するフマル酸含有水溶液には、増粘剤以外に、クエン酸・リンゴ酸等の有機酸や、抗菌剤、消臭剤、界面活性剤、紡糸に使用する油剤等を配合して、使用することもできる。
【００５１】
前記部材とフマル酸含有水溶液とを接触させた後、水を除去する方法は、特に限定されず、例えば、自然乾燥が挙げられる。
【００５２】
前記フマル酸付着領域を設ける時期は特に限定されず、外装部材を組み立てる前の各材料にあらかじめフマル酸付着領域を設けてもよいし、外装部材を組み立てる途中あるいは外装部材を組み立てた後に、所望とする部分にフマル酸付着領域を設けてもよい。なお、エンド押さえシートにフマル酸付着領域を設ける場合は、外装部材を組み立てる前の不織布にあらかじめフマル酸付着領域を設けておき、この不織布をエンド押さえシートとして配置することが好ましい。
【００５３】
（吸収性本体）
外装部材の股部の肌面側に備えられる吸収性本体は、トップシートとバックシートとこれらの間に挟まれた吸収性コアとを有する。
【００５４】
前記トップシートは、透液性のシート材料、例えば、親水性繊維により形成された不織布であり、着用者の体液を速やかに捕捉して吸収体へと移動させる。トップシートとして利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。なお、トップシートとして、表面を界面活性剤により親水化処理した疎水性繊維（例えば、ポリプロピレン、ポリエチレン、ポリエステル、ポリアミド）にて形成された透液性の不織布が用いられてもよい。
【００５５】
前記バックシートに使用される不透液性シートとしては、例えば、疎水性繊維（例えば、ポリプロピレン、ポリエチレン、ポリエステル、ポリアミド）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、不透液性シートに到達した体液が、吸収性物品の外側にしみ出すのを防止する。不透液性シートにプラスチックフィルムが利用される場合、ムレを防止して着用者の快適性を向上するという観点からは、透湿性（通気性）を有するプラスチックフィルムが利用されることが好ましい。
【００５６】
吸収性コアは、尿等の排泄物を吸収できるものであれば特に限定されず、吸水性樹脂を含んでいることが好ましい。吸収性コアは、例えば、粉砕したパルプ繊維やセルロース繊維等の親水性繊維集合層に粒状の吸水性樹脂を混合または分散したものを、ティッシュペーパーなどの紙シートまたは液透過性不織布シート等の被覆シートで包み、長方形、砂時計型、ひょうたん型、羽子板型等の所定形状に成形することにより得られる。
【００５７】
吸収性本体の幅方向両側縁部に沿って、立ち上がりフラップが設けられていることが好ましい。立ち上がりフラップは、例えば、吸収性本体のトップシート上に接合されてもよく、吸収性本体の幅方向両外側に設けられてもよい。立ち上がりフラップは、液不透過性や撥水性の不織布やプラスチックフィルム等により構成されることが好ましく、撥水性の不織布により構成されることがより好ましい。立ち上がりフラップを設けることにより、尿等の横漏れを防ぐことができる。
【００５８】
立ち上がりフラップが立ち上がった状態の上側端部（着用者側の端部）には、起立用弾性部材が設けられていることが好ましい。起立用弾性部材の収縮力により、着用者側に立ち上がる立体ギャザーが形成され、尿等の横漏れが防止される。なお、立ち上がりフラップのおむつ前後方向の端部は、内面が例えばトップシート上に接合されていてもよく、これにより尿等の前後方向への漏れが防止される。
【００５９】
前記吸収性本体のトップシートにフマル酸が付着していることも好ましい。吸収性本体のトップシート、つまり着用者に接触する部分にもフマル酸を付着させることで、股下部においても着用者の肌への負担を軽減できる。
【００６０】
前記トップシートのフマル酸の付着量は、０．０１ｇ／ｍ2以上が好ましく、より好ましくは０．０２ｇ／ｍ2以上、さらに好ましくは０．０３ｇ／ｍ2以上であり、１０ｇ／ｍ2以下が好ましく、より好ましくは５．０ｇ／ｍ2以下、さらに好ましくは４．５ｇ／ｍ2以下、特に好ましくは４．０ｇ／ｍ2以下である。フマル酸の付着量が前記範囲内であれば、着用者の肌荒れをより抑制できる。
【００６１】
前記フマル酸は、トップシートを構成する部材とフマル酸含有水溶液とを接触させた後、水を除去することにより付着させることが好ましい。このようにフマル酸を付着させることで、フマル酸がトップシートを構成する繊維表面に被覆膜を形成し、また、フマル酸が繊維表面で結晶化するため、フマル酸が脱落しにくくなる。前記トップシートを構成する部材とフマル酸含有水溶液とを接触させる方法としては、前記肌接触部を構成する部材とフマル酸含有水溶液とを接触させる方法と同様の方法が挙げられる。
【００６２】
前記トップシートにフマル酸を付着させる時期は特に限定されず、吸収性本体を組み立てる前の材料にあらかじめフマル酸付着領域を設けてもよいし、吸収性本体を組み立てる途中あるいは吸収性本体を組み立てた後に、トップシートにフマル酸を付着させてもよい。
【実施例】
【００６３】
以下、本発明の使い捨ておむつの具体例として、使い捨てパンツ型おむつの一例について、図面を参照して説明する。なお、本発明は、下記実施態様に限定されるものではない。
【００６４】
図１は、使い捨ておむつの平面図である。図２は、図１のＡ−Ａ断面図を表す。図３は、図１のＢ−Ｂ断面図を表す。図４は、図１の使い捨ておむつをパンツ型に形成した状態を示す図である。図において、矢印ｘが幅方向、矢印ｙが前後方向である。また、矢印ｘ，ｙにより形成される面に対して垂直方向が厚み方向ｚである。
【００６５】
使い捨ておむつ１は、外装部材２と吸収性本体８とを有する。前記外装部材２は、前腹部Ｐと後背部Ｑとこれらの間に位置する股部Ｒとから構成されている。これらの前腹部Ｐと後背部Ｑとが接合されることによりウエスト開口部３と一対の脚開口部４とが形成される。外装部材２は、外側シート５と、外側シート５の肌面側に積層された内側シート６とを有する。
【００６６】
吸収性本体８は、外装部材２の股部Ｒの肌面側に備えられている。この吸収性本体８は、股部Ｒから前腹部Ｐおよび後背部Ｑにかけて配置されている。前記吸収性本体８は、トップシート９とバックシート１０とこれらの間に挟まれた吸収性コア１１とを有する。トップシート９は、着用者の股部の肌に面するように配置され、尿等の排泄物を透過する。トップシート９を透過した排泄物は、吸収性コア１１により収容される。バックシート１０は、外装部材２の内側シート６に接合され、排泄物が外部へ漏れるのを防いでいる。
【００６７】
吸収性本体８の幅方向ｘの両側縁部に沿って、立ち上がりフラップ１２が設けられている。立ち上がりフラップ１２は、トップシート９とバックシート１０とに跨って接合され、前後方向ｙに延在している。立ち上がりフラップ１２の幅方向ｘの内方端部には、起立用弾性部材１３が配設されている。立ち上がりフラップ１２は、起立用弾性部材１３の収縮力により、トップシート９の上方（着用者側）に立ち上がる立体ギャザーを形成し、尿等の横漏れを防止する。なお、立ち上がりフラップ１２は、吸収性本体８の前後端部で、内面がトップシート９上に接合されており、これにより尿等の前後方向ｙの外方への漏れが防止される。
【００６８】
外装部材２の前腹部Ｐと後背部Ｑとには、外側シート５と内側シート６との間に、複数の胴周り用弾性部材１４が幅方向ｘに設けられている。胴周り用弾性部材１４は、ホットメルト接着剤により外側シート５と内側シート６とに接着されている。
【００６９】
外装部材２のウエスト開口縁１９に沿って、複数のウエスト用弾性部材２０が幅方向ｘに設けられている。外側シート５は、外装部材２のウエスト開口縁１９で、内側シート６側に折り返され、折り返された外側シート５はホットメルト接着剤によりエンド押さえシート７と接着されている。ウエスト用弾性部材２０は、折り返された外側シート５間に挟まれて外側シート５と接着されている。
【００７０】
外装部材２の脚開口縁２１に沿って、外側シート５と内側シート６との間に、脚用弾性部材２２，２３が設けられている。脚用弾性部材は、股部Ｒを横切っておむつ前側の両脚開口縁に沿って設けられる前側脚用弾性部材２２と、股部Ｒを横切っておむつ後側の両脚開口縁に沿って設けられる後側脚用弾性部材２３とからなる。前側脚用弾性部材２２と後側脚用弾性部材２３とにより、脚開口縁２１のほぼ全周にわたり脚用弾性部材が設けられることとなる。
【００７１】
外装部材２は、前腹部Ｐおよび後背部Ｑに、吸収性本体８の前後端部を覆い、ホットメルト接着剤１５により内側シート６と吸収性本体８とに接合されたエンド押さえシート７を有している。そして、このエンド押さえシート７の全体にフマル酸が付着している、つまり、エンド押さえシート７の全体にフマル酸付着領域が設けられている。なお、図１において、網掛けを付した部分がフマル酸付着領域である。また、エンド押さえシート７は、胴周り用弾性部材１４の全体を覆うように形成されている。
【符号の説明】
【００７２】
１：使い捨ておむつ
２：外装部材
５：外側シート
６：内側シート
７：エンド押さえシート（フマル酸付着領域）
８：吸収性本体
９：トップシート
１０：バックシート
１１：吸収性コア
１４：胴周り用弾性部材
１５：ホットメルト接着剤
【図１】
2020151019.tif 000003
【図２】
2020151019.tif 000004
【図３】
2020151019.tif 000005
【図４】
2020151019.tif 000006